(57)【要約】【課題】オゾンの濃度を高めて浄化性能の向上を図れる浄化装置を提供する。【解決手段】浄化装置１は、物品が収容される内部空間３を有するボックス部２と、内部空間３に配置される浄化ユニット４とを含む。浄化ユニット４は、内部空間３に連通する流入口５１および流出口５２を有する流路４１と、空気を流路４１と内部空間３との間で循環させるファン４６と、空気からオゾンを発生させるオゾン発生装置４３と、オゾン発生装置４３を覆うカバー４０と、内部空間３の空気を取込口４４Ｃから取り込んでオゾン発生装置４３に供給する供給路４４と、オゾン発生装置４３が発生させたオゾンを流路４１に導く導入路４５とを含む。取込口４４Ｃは、カバー４０の外で内部空間３に露出される。【選択図】図５
2017064260.tif 000002
【特許請求の範囲】
【請求項１】
物品が収容される内部空間を有するボックス部と、前記内部空間に配置されて前記内部空間内の物品を浄化するための浄化ユニットとを含み、
前記浄化ユニットは、
前記内部空間に連通する流入口および流出口を有し、前記流入口から前記流出口へ向けて空気を流す流路と、
前記流路に配置される回転羽根を有し、前記回転羽根の回転によって前記内部空間の空気を前記流入口から前記流路内に流入させて前記流出口から前記内部空間へ流出させることにより、空気を前記流路と前記内部空間との間で循環させるファンと、
空気からオゾンを発生させるオゾン発生装置と、
少なくとも前記オゾン発生装置を覆うカバーと、
前記カバーの外で前記内部空間に露出される取込口を有し、前記内部空間の空気を前記取込口から取り込んで前記オゾン発生装置に供給する供給路と、
前記オゾン発生装置と前記流路とをつなぎ、前記オゾン発生装置が発生させたオゾンを前記流路に導く導入路とを含む、浄化装置。
【請求項２】
前記導入路は、前記流路において前記回転羽根よりも前記流出口側の領域に接続される、請求項１に記載の浄化装置。
【請求項３】
前記ボックス部に設けられる取っ手およびキャスタの少なくとも一方を含む、請求項１または２に記載の浄化装置。
【請求項４】
前記流出口は、複数設けられ、
前記流出口に接続され、可撓性および伸縮性を有するホースを含む、請求項１〜３のいずれか一項に記載の浄化装置。
【発明の詳細な説明】
【技術分野】
【０００１】
この発明は、収容された物品をオゾンによって浄化する浄化装置に関する。
【背景技術】
【０００２】
下記特許文献１に記載の据え置き型のスーツ脱臭乾燥機では、箱形に形成された本体内に、衣類を収納する乾燥室と、乾燥室の下部に配置された機械室とが設けられる。機械室の内部には、ブロアと、ブロアの吹出口に接続されたダクト内に設けられたヒータと、エアポンプと、エアポンプの吐出配管に接続されたオゾン発生器とが配置される。ダクトは、乾燥室に向かって広がったダクト室に接続される。機械室の前面の吸気口から機械室内に導入された空気は、ブロアによってダクトに送られてヒータを通過する際に加熱されて温風になる。また、オゾン発生器は、エアポンプによって送られた空気からオゾンを発生させる。オゾンは、配管によりダクト内に供給されて温風と混合される。温風やオゾンは、ダクト室を経由して乾燥室の底部から乾燥室内に供給される。これにより、乾燥室内の衣類は、温風によって乾燥され、オゾンによって脱臭される。
【先行技術文献】
【特許文献】
【０００３】
【特許文献１】特開２００６−１４９８２１号公報
【発明の概要】
【発明が解決しようとする課題】
【０００４】
特許文献１に記載のスーツ脱臭乾燥機のようにオゾンによって衣類などの物品を浄化する場合には、オゾンの濃度が高いほど浄化性能の向上を図れる。
【０００５】
この発明は、かかる背景のもとでなされたもので、オゾンの濃度を高めて浄化性能の向上を図れる浄化装置を提供することを目的とする。
【課題を解決するための手段】
【０００６】
本発明は、物品が収容される内部空間を有するボックス部と、前記内部空間に配置されて前記内部空間内の物品を浄化するための浄化ユニットとを含み、前記浄化ユニットは、前記内部空間に連通する流入口および流出口を有し、前記流入口から前記流出口へ向けて空気を流す流路と、前記流路に配置される回転羽根を有し、前記回転羽根の回転によって前記内部空間の空気を前記流入口から前記流路内に流入させて前記流出口から前記内部空間へ流出させることにより、空気を前記流路と前記内部空間との間で循環させるファンと、空気からオゾンを発生させるオゾン発生装置と、少なくとも前記オゾン発生装置を覆うカバーと、前記カバーの外で前記内部空間に露出される取込口を有し、前記内部空間の空気を前記取込口から取り込んで前記オゾン発生装置に供給する供給路と、前記オゾン発生装置と前記流路とをつなぎ、前記オゾン発生装置が発生させたオゾンを前記流路に導く導入路とを含む、浄化装置である。
【０００７】
また、本発明は、前記導入路は、前記流路において前記回転羽根よりも前記流出口側の領域に接続されることを特徴とする。
【０００８】
また、本発明は、前記ボックス部に設けられる取っ手およびキャスタの少なくとも一方を含むことを特徴とする。
【０００９】
また、本発明は、前記流出口は、複数設けられ、前記流出口に接続され、可撓性および伸縮性を有するホースを含むことを特徴とする。
【発明の効果】
【００１０】
本発明によれば、ボックス部を含む浄化装置においてボックス部の内部空間に配置される浄化ユニットでは、流入口および流出口を有する流路に配置される回転羽根の回転によって、内部空間の空気が、流入口から流路内に流入して流出口から内部空間へ流出する。これにより、流路と内部空間との間で循環する空気の流れが発生する。浄化ユニットでは、内部空間の空気が、供給路の取込口から供給路内に取り込まれてオゾン発生装置に供給され、オゾン発生装置は、この空気からオゾンを発生させる、オゾン発生装置が発生させたオゾンは、導入路によって流路に導かれ、流路を流れる空気に乗って内部空間内の物品に浴びせられる。これにより、物品が浄化され、具体的には、物品が消臭されたり除菌されたりする。
供給路の取込口は、オゾン発生装置を覆うカバーの外で内部空間に露出されるので、流路と内部空間との間で循環する空気の流れに晒される。これにより、供給路は、内部空間の空気を取込口から強制的に取り込むことによってオゾン発生装置への空気の供給を促進できるので、オゾン発生装置は、多くのオゾンを発生させることができる。そのため、浄化装置では、内部空間におけるオゾンの濃度を高めて浄化性能の向上を図れる。
【００１１】
また、本発明によれば、導入路は、流路において回転羽根よりも流出口側の領域に接続されるので、導入路によって流路に導かれたオゾンを、回転する回転羽根によって分解されることなく、流出口から内部空間に流出させることができる。そのため、浄化装置では、内部空間におけるオゾンの濃度を高めて浄化性能の一層の向上を図れる。
【００１２】
また、本発明によれば、ボックス部に設けられた取っ手を掴むことによって浄化装置を移動させることができる。また、ボックス部に設けられたキャスタが床面上で転動することによって、浄化装置を円滑に移動させることができる。
【００１３】
また、本発明によれば、流出口が複数設けられる。そのため、内部空間に複数の物品が収容された場合には、複数の物品のそれぞれに、対応する流出口からオゾンを浴びせることができるので、これらの物品を一度に浄化できる。
内部空間において流出口の先に物品を配置できない場合には、流出口に接続されたホースを撓ませたり伸縮させたりすることによってホースの先端部を物品に向け、流出口からのオゾンをホースの先端部から物品に直接浴びせることができる。
【図面の簡単な説明】
【００１４】
【図１】図１は、この発明の一実施形態に係る直立状態における浄化装置の斜視図である。
【図２】図２は、倒れて開いた状態における浄化装置の斜視図である。
【図３】図３は、図２において浄化ユニットのカバーを取り外した状態を示す斜視図である。
【図４】図４は、オゾン発生装置の斜視図である。
【図５】図５は、浄化ユニットの斜視図である。
【図６】図６は、オゾン発生装置に接続された供給路と、オゾン発生装置が発生させたオゾンの濃度の経時変化との関係を示すグラフである。
【図７】図７は、オゾン発生装置に接続された導入路と、オゾン発生装置が発生させたオゾンの濃度の経時変化との関係を示すグラフである。
【図８】図８は、倒れて開いて物品がセットされた状態における浄化装置の斜視図である。
【発明を実施するための形態】
【００１５】
以下には、図面を参照して、この発明の実施形態について具体的に説明する。図１は、この発明の一実施形態に係る直立状態における浄化装置１の斜視図である。浄化装置１は、靴や鞄や帽子やぬいぐるみや枕といった洗濯機では洗えない物品Ｐ（後述する図２参照）を、オゾンによって消臭および除菌、つまり浄化する装置である。浄化装置１は、その外殻をなす中空のボックス部２と、ボックス部２の内部空間３に配置される浄化ユニット４とを含む。
【００１６】
図１に示すように浄化装置１が直立した状態において、ボックス部２は、たとえば縦長の略直方体状に形成され、略矩形状の上面２Ａおよび下面２Ｂを有する。上面２Ａには、取っ手５が設けられ、下面２Ｂの四隅にはキャスタ６が１つずつ設けられる。取っ手５は、常に上面２Ａに直交した姿勢で固定されてもよいし、使用時以外は上面２Ａに沿うように回動可能に上面２Ａに連結されてもよい。取っ手５を掴むことによって浄化装置１を移動させることができる。この際、ボックス部２に設けられたキャスタ６が床面Ｓ上で転動することによって、浄化装置１を円滑に移動させることができる。これにより、たとえば室内におけるリビングや玄関やベランダやクローゼットといった色々な場所まで浄化装置１を移動させて、移動先で浄化装置１を使用することができる。つまり、浄化装置１は、使いたいときに使いたい場所まで持ち運ぶことができる。なお、取っ手５およびキャスタ６のそれぞれの数は任意に変更できる。また、必要に応じて取っ手５およびキャスタ６の一方が省略されてもよい。
【００１７】
ボックス部２において上面２Ａと下面２Ｂとをつなぐ１つの側面２Ｃには、操作部７が設けられる。操作部７は、図１において横長に形成されたベース部８と、ベース部８の表面に並んで配置された複数のボタン９とを含む。使用者は、ボタン９を操作することによって、浄化装置１における浄化運転を開始したり停止したり、浄化運転の運転条件を設定したりすることができる。図１では、ボックス部２の外に引き出された電気コード１０と、電気コード１０の先端に接続された電気プラグ１１とが図示される。ボックス部２は、４つのキャスタ６を２つずつに分ける位置において、第１ボディ１５と第２ボディ１６とに分割可能である。
【００１８】
図２は、倒れて開いた状態における浄化装置１の斜視図である。図２において、第１ボディ１５は、床面Ｓに横たえられた状態にあり、第２ボディ１６は、床面Ｓから浮いた状態にある。第１ボディ１５および第２ボディ１６は、ほぼ同じ形状および大きさを有するトレイ状に形成される。
【００１９】
第１ボディ１５は、略長方形状の底板１７と、底板１７の四辺から同じ方向へ立ち上がった４つの側板１８とを一体的に含む。図２では、底板１７は、床面Ｓに沿った状態にある。図２において、床面Ｓに直交する方向を上下方向Ｚといい、略長方形状の底板１７の長手方向を左右方向Ｘといい、底板１７の短手方向を前後方向Ｙという。上下方向Ｚは、床面Ｓから離れる方向である上側Ｚ１と、床面Ｓに近づく方向である下側Ｚ２とを含む。左右方向Ｘは、図２における左側に相当する左側Ｘ１と、図２における右側に相当する右側Ｘ２とを含む。前後方向Ｙは、図２における下側に相当する前側Ｙ１と、図２における上側に相当する後側Ｙ２とを含む。以下の説明では、これらの方向を用いて浄化装置１における各部材の向きや姿勢などを特定する。
【００２０】
４つの側板１８のうち、底板１７における一対の長辺から立ち上がった２つの側板１８を長側板１８Ａといい、底板１７における一対の短辺から立ち上がった２つの側板１８を短側板１８Ｂという。長側板１８Ａは、短側板１８Ｂよりも長い。２つの短側板１８Ｂのうち、左側Ｘ１の短側板１８Ｂは、一対の長側板１８Ａの左端間に架設され、右側Ｘ２の短側板１８Ｂは、一対の長側板１８Ａの右端間に架設される。底板１７と各側板１８との連結部分や、側板１８同士の連結部分は、図２のように丸められた形状であってもよいし、略直角に尖った形状であってもよい。
【００２１】
第１ボディ１５は、底板１７および４つの側板１８によって区画されて底板１７へ向けて窪む凹状空間１９を有する。凹状空間１９は、４つの側板１８の上端縁によって区画された略長方形状の開口２０から露出される。４つの側板１８のそれぞれでは、開口２０側の上端部１８Ｃにおける板厚が、上端部１８Ｃよりも下側Ｚ２の部分における板厚よりも薄く、上端部１８Ｃと上端部１８Ｃよりも下側Ｚ２の部分との境界には、段差面１８Ｄが形成される。４つの側板１８のそれぞれでは、上端部１８Ｃは、段差面１８Ｄよりも凹状空間１９側に位置する。４つの側板１８の段差面１８Ｄは、面一の状態で連続し、全体として、開口２０を取り囲む額縁状に形成される。
【００２２】
左側Ｘ１の短側板１８Ｂの左側面には、２つのキャスタ６が、前後方向Ｙに離れて設けられる。この短側板１８Ｂにおいて２つのキャスタ６の間の領域には、短側板１８Ｂを左右方向Ｘに貫通する貫通穴２１が形成される。貫通穴２１には、電気コード１０が通される。電気コード１０と貫通穴２１の周縁部との隙間は、環状のパッキン２２によって塞がれる。右側Ｘ２の短側板１８Ｂの右側面には、取っ手５が設けられる。
【００２３】
前側Ｙ１の長側板１８Ａの後側面には、ロック解除機構２３が設けられる。ロック解除機構２３は、ソレノイドなどで構成されたアクチュエータ（図示せず）を内蔵したボックス状の本体部２４と、本体部２４から上側Ｚ１へ突出したロック部２５とを含む。本体部２４は、この長側板１８Ａの後側面に固定される。ロック部２５の上端部は、前側Ｙ１に折れ曲がった鉤状に形成される。ロック部２５は、その下端部を中心として前後に回動可能である。図２におけるロック部２５は、ロック位置にある。本体部２４のアクチュエータが作動することによって、ロック部２５は、ロック位置よりも後側Ｙ２の解除位置まで回動したり、解除位置からロック位置まで回動したりすることができる。
【００２４】
第２ボディ１６は、左右方向Ｘに長手の略長方形状の底板３０と、底板３０の四辺から同じ方向へ立ち上がった４つの側板３１とを一体的に含む。４つの側板３１のうち、底板３０における一対の長辺から立ち上がった２つの側板３１を長側板３１Ａといい、底板３０における一対の短辺から立ち上がった２つの側板３１を短側板３１Ｂという。長側板３１Ａは、短側板３１Ｂよりも長い。２つの短側板３１Ｂのうち、左側Ｘ１の短側板３１Ｂは、一対の長側板３１Ａの左端間に架設され、右側Ｘ２の短側板３１Ｂは、一対の長側板３１Ａの右端間に架設される。底板３０と各側板３１との連結部分や、側板３１同士の連結部分は、図２のように丸められた形状であってもよいし、略直角に尖った形状であってもよい。
【００２５】
第２ボディ１６は、底板３０および４つの側板３１によって区画されて底板３０へ向けて窪む凹状空間３２を有する。凹状空間３２は、４つの側板３１において底板３０側とは反対側の端縁３１Ｃによって区画された略長方形状の開口３６から露出される。底板３０において凹状空間３２を臨む内側面とは反対側の外側面に、操作部７が設けられる。
【００２６】
左側Ｘ１の短側板３１Ｂの左側面には、２つのキャスタ６が、前後方向Ｙに離れて設けられる。図２において上下に並ぶ２つの長側板３１Ａにおける上側Ｚ１の長側板３１Ａでは、凹状空間３２を臨む内側面に係合片３３が設けられる。係合片３３は、たとえば金属製の板状に形成され、上側Ｚ１の長側板３１Ａに沿って配置され、この長側板３１Ａに固定される。係合片３３には、係合片３３を板厚方向に沿って貫通する貫通穴３３Ａが形成される。
【００２７】
図２において上下に並ぶ２つの長側板３１Ａにおける下側Ｚ２の長側板３１Ａと、第１ボディ１５における後側Ｙ２の長側板１８Ａとは、ヒンジ３４を介して互いに連結される。ヒンジ３４は、たとえば左右方向Ｘに並んで２つ設けられる。第１ボディ１５と第２ボディ１６とは、ヒンジ３４を中心として互いに相対回動できるように連結される。図２の状態で、第２ボディ１６を第１ボディ１５側へ回動させると、ボックス部２を閉じた状態（図１参照）にすることができる。
【００２８】
閉じた状態のボックス部２では、第１ボディ１５の凹状空間１９と第２ボディ１６の凹状空間３２とが一体化されてボックス部２の内部空間３を構成する。閉じた状態のボックス部２では、第１ボディ１５における各側板１８の上端部１８Ｃが、第２ボディ１６の開口３６を通って凹状空間３２内に入り込んだ状態にある。このとき、第２ボディ１６における各側板３１の端縁３１Ｃが、いずれかの側板１８の段差面１８Ｄに対して、側板１８および３１の長手方向における全域に亘って対向した状態にある。互いに対向した端縁３１Ｃと段差面１８Ｄと隙間は、パッキン３５（図１参照）によって塞がれる。このパッキン３５と、前述したパッキン２２とによって、閉じた状態のボックス部２では、内部空間３が密閉される。
【００２９】
第１ボディ１５におけるロック解除機構２３のロック部２５がロック位置にある場合には、ロック部２５が、第２ボディ１６の係合片３３の貫通穴３３Ａに後側Ｙ２から嵌まり込むことによって係合片３３に係合する。これにより、ボックス部２が閉じた状態が維持されるので、使用者は、ボックス部２を開くことができない。ロック部２５を解除位置まで回動させると、ロック部２５が貫通穴３３Ａから外れる。これにより、たとえば第２ボディ１６を第１ボディ１５から離れるように回動させると、図２に示すようにボックス部２を開くことができる。このように開閉可能な構成のボックス部２として、気密性の高いスーツケースを用いてもよい。以下では、ボックス部２が閉じた状態にあることを前提として説明を行う。
【００３０】
浄化ユニット４は、内部空間３に配置され、第１ボディ１５の底板１７において、たとえば左側Ｘ１へ偏った位置に固定される。浄化対象の物品Ｐは、内部空間３、詳しくは、内部空間３において浄化ユニット４から外れた右側Ｘ２の領域に収容される。浄化ユニット４は、内部空間３内の物品Ｐを浄化するためのものであり、カバー４０と、流路４１と、基板ケース４２（後述する図３参照）と、オゾン発生装置４３（後述する図４参照）と、供給路４４（図４参照）と、導入路４５（図４参照）と、ファン４６（後述する図５参照）とを含む。
【００３１】
カバー４０は、浄化ユニット４の筐体を構成し、ボックス部２よりも一回り以上小さい略直方体状に形成される。カバー４０は、略矩形状の天壁４７と、天壁３７の四辺から下側Ｚ２へ延びる４つの側壁４８とを一体的に含み、第１ボディ１５の底板１７に固定される。天壁４７において中央から右側Ｘ２へ少しずれた位置には、天壁４７を上下方向Ｚに貫通する円形状の貫通穴４７Ａが形成される。４つの側壁４８において、左側Ｘ１の側壁４８は、前後一対の側壁４８の左端間に架設され、右側Ｘ２の側壁４８は、前後一対の側壁４８の右端間に架設される。前側Ｙ１の側壁４８には、この側壁４８の下端から上側Ｚ１へ延びる切欠き４８Ａが形成される。左側Ｘ１の側壁４８には、この側壁４８を前後方向Ｙに貫通する略矩形状の開口４８Ｂが形成される。電気コード１０は、開口４８Ｂを通ってカバー４０内まで延びる。
【００３２】
図２においてカバー４０を取り外した状態を示す図３を参照して、流路４１に関連して、浄化ユニット４は、左右方向Ｘの長手のボックス状の第１ダクト４９と、第１ダクト４９の左端部から下側Ｚ２に延びた後に折れ曲がって前側Ｙ１に延びる管状の第２ダクト５０とを一体的に含む。第１ダクト４９および第２ダクト５０の大部分は、カバー４０によって上側Ｚ１から覆われる（図２参照）。第２ダクト５０は、第１ダクト４９から下側Ｚ２に延びた後に折れ曲がった本体部５０Ａと、本体部５０Ａの前端から上下に分岐した２つの分岐部５０Ｂとを一体的に含む。第１ダクト４９の内部空間と第２ダクト５０の内部空間とは互いに連通した状態にあり、これらの内部空間が流路４１を構成する。２つの分岐部５０Ｂは、カバー４０における前側Ｙ１の側壁４８の切欠き４８Ａから前側Ｙ１へはみ出して配置される（図２参照）。
【００３３】
流路４１は、流路４１の一端をなす流入口５１と、流路４１の他端をなす流出口５２を有する。流入口５１は、円形状に形成され、第１ダクト４９の天壁４９Ａを上下方向Ｚに貫通し、カバー４０の天壁４７の貫通穴４７Ａから上側Ｚ１へ露出されて、内部空間３に連通した状態にある（図２参照）。流出口５２は、円形状に形成され、それぞれの分岐部５０Ｂの前端に１つずつ形成され、分岐部５０Ｂから前側Ｙ１に露出される。つまり、流出口５２は、分岐部５０Ｂと同数になるように複数設けられる。分岐部５０Ｂがカバー４０における前側Ｙ１の側壁４８から前側Ｙ１へはみ出して配置されるので、流出口５２もカバー４０から前側Ｙ１へはみ出して配置されて内部空間３に連通した状態にある（図２参照）。
【００３４】
基板ケース４２は、左右方向Ｘに扁平なボックス状に形成され、第１ダクト４９および第２ダクト５０よりも左側Ｘ１に配置されて、これらのダクトとともに、カバー４０によって上側Ｚ１から覆われる（図２参照）。基板ケース４２内には、マイクロコンピュータなどで構成された制御部（図示せず）が実装されたメイン基板（図示せず）が収容される。制御部は、配線（図示せず）によって、操作部７、ロック解除機構２３のアクチュエータ、オゾン発生装置４３およびファン４６のそれぞれに対して電気的に接続される。そのため、制御部は、使用者による操作部７の操作を受け付けたり、アクチュエータの動作を制御してロック部２５をロック位置と解除位置との間で回動させたり、オゾン発生装置４３およびファン４６の動作を制御したりすることができる。
【００３５】
基板ケース４２の左側壁４２Ａには、左側壁４２Ａを左右方向Ｘに貫通する貫通穴４２Ｂが形成される。カバー４０における左側Ｘ１の側壁４８の開口４８Ｂを通ってカバー４０内まで延びた電気コード１０（図２も参照）は、貫通穴４２Ｂを通って、基板ケース４２内のメイン基板に対して電気的に接続される。電気プラグ１１をコンセント（図示せず）に挿入すると、コンセントからの電力が、電気コード１０およびメイン基板を介して、操作部７、ロック解除機構２３のアクチュエータ、オゾン発生装置４３およびファン４６に対して供給される。基板ケース４２内には、電気コード１０を巻き取るためのドラム状のリール５３が配置されてもよい。リール５３は、所定の回転方向へ向けてバネなどの付勢部材によって付勢される。浄化装置１を移動させるときは、電気コード１０が浄化装置１の移動の邪魔にならないように、リール５３が前記所定の回転方向へ回転して電気コード１０をリール５３の外周部に巻き取る。移動後に浄化装置１を使用する際に、電気コード１０が引き出される。
【００３６】
オゾン発生装置４３の斜視図である図４を参照して、オゾン発生装置４３は、ケース６０と、放電基板６１と、放電管６２と、蓋６３とを含む。ケース６０は、上面の全域が開口されたボックス状に形成される。
【００３７】
ケース６０は、左側部分６４と、左側部分６４に対して右側Ｘ２から接続されて左側部分６４よりも前後方向Ｙで幅広に形成された右側部分６５とを一体的に含み、ケース６０の全体は、上側Ｚ１から見て略Ｔ字状に形成される。そのため、上側Ｚ１から見ると、ケース６０の前側壁６０Ａは、左右方向Ｘにおける途中で前側Ｙ１へ延びる前側延設部６０Ｂを有するようにクランク状に折れ曲がって形成され、ケース６０の後側壁６０Ｃは、左右方向Ｘにおける途中で後側Ｙ２へ延びる後側延設部６０Ｄを有するようにクランク状に折れ曲がって形成される。左側部分６４の上面には、左側部分６４の内部空間６４Ａの全域を上側Ｚ１へ露出させる開口６４Ｂが形成され、右側部分６５の上面には、右側部分６５の内部空間６５Ａの全域を上側Ｚ１へ露出させる開口６５Ｂが形成される。内部空間６４Ａと内部空間６５Ａとは互いに連通した状態にあり、開口６４Ｂと開口６５Ｂとは互いに連通した状態にある。
【００３８】
放電基板６１は、左側部分６４の内部空間６４Ａに収容され、開口６４Ｂからケース６０の外に露出される。放電基板６１には、コンデンサやトランジスタなどの素子６６が上側Ｚ１から実装される。放電基板６１は、前述したメイン基板に対して電気的に接続される。放電管６２は、前後方向Ｙに延びる金属製の円管であり、右側部分６５の内部空間６５Ａに収容される。放電管６２の後端部の下側外周面には、放電管６２に内部に連通する入口６２Ａが形成され、放電管６２の前端部には、放電管６２から左側Ｘ１に突出した管状の出口部材６２Ｂが一体的に設けられる。埃などの異物が放電管６２内へ侵入することを防止するために、スポンジなどのフィルタ部材が入口６２Ａに設けられてもよい。出口部材６２Ｂは、前側延設部６０Ｂを貫通して、前側延設部６０Ｂよりも左側Ｘ１へ突出した状態にある。放電基板６１と放電管６２とは、配線６７を介して電気的に接続された状態にある。
【００３９】
蓋６３は、右側部分６５の開口６５Ｂとほぼ同じ大きさを有して前後方向Ｙに長手の横板部６３Ａと、横板部６３Ａの左端縁において前後方向Ｙにおける途中部分から下側Ｚ２へ延び出た縦板部６３Ｂとを一体的に含む。横板部６３Ａの板厚方向は、上下方向Ｚであり、縦板部６３Ｂの板厚方向は、左右方向Ｘである。横板部６３Ａは、開口６５Ｂのほぼ全域を上側Ｚ１から塞ぎ、縦板部６３Ｂは、ケース６０の前側延設部６０Ｂと後側延設部６０Ｄとの間に配置されて、内部空間６４Ａと内部空間６５Ａとの間を遮断する。横板部６３Ａの左端縁の後端部は、後側延設部６０Ｄに対して僅かな隙間６８を隔てて右側Ｘ２から対向し、内部空間６５Ａは、隙間６８を介してケース６０の外へ露出される。
【００４０】
供給路４４および導入路４５は、可撓性を有するチューブである。供給路４４では、一端部４４Ａが、隙間６８に差し込まれて、ケース６０の右側部分６５の内部空間６５Ａにおける放電管６２の入口６２Ａの近傍に配置され、他端部４４Ｂには取込口４４Ｃが形成される。導入路４５では、一端部４５Ａが、放電管６２の出口部材６２Ｂに接続され、他端部４５Ｂには取出口４５Ｃが形成される。
【００４１】
浄化ユニット４の斜視図である図５を参照して、オゾン発生装置４３は、カバー４０によって上側Ｚ１から覆われた状態で、第１ダクト４９の下側Ｚ２に配置される。カバー４０における後側Ｙ２の側壁４８の下端部には、この側壁４８の下端縁の一部を切り欠く略半円状の切欠き４８Ｃが形成される。供給路４４の他端部４４Ｂは、切欠き４８Ｃを通ってカバー４０の外に引き出されるので、他端部４４Ｂにおける取込口４４Ｃは、カバー４０の外でボックス部２の内部空間３に露出される。一端部４５Ａがオゾン発生装置４３の放電管６２に接続された導入路４５（図４も参照）の全体は、カバー４０内に配置される。導入路４５では、他端部４５Ｂが、第２ダクト５０の本体部５０Ａに対して後側Ｙ２から接続され、他端部４５Ｂにおける取出口４５Ｃが、第２ダクト５０における流路４１に連通する。このように、導入路４５は、オゾン発生装置４３と流路４１とをつなぐ。
【００４２】
ファン４６の一例として、シロッコファンが挙げられる。ファン４６は、オゾン発生装置４３と第１ダクト４９との間に配置されたモータ７０と、第１ダクト４９の内部空間、つまり流路４１に配置される回転羽根７１とを含む。モータ７０は、上側Ｚ１へ突出して第１ダクト４９の内部空間に配置された出力軸７２を有する。回転羽根７１は、複数設けられ、出力軸７２から放射状に広がるように出力軸７２に固定される。回転羽根７１および出力軸７２は、流路４１の流入口５１から上側Ｚ１へ露出された状態にある。浄化運転が開始されてファン４６が駆動されると、出力軸７２が回転羽根７１を伴って回転する。回転羽根７１の回転方向は、たとえば、上側Ｚ１から見て時計回りの方向である。
【００４３】
ファン４６の駆動に伴う回転羽根７１の回転により、ボックス部２の内部空間３の空気が、太い破線矢印で示すように、カバー４０の天壁４７から露出された流入口５１を通って上側Ｚ１から流路４１内に流入する。流入口５１から流路４１内に流入した空気は、回転羽根７１の回転により、流路４１内を流入口５１から流出口５２へ向けて流れる。具体的には、流路４１内を流れる空気は、太い破線矢印で示すように、回転羽根７１の回転に沿って旋回した後に、第１ダクト４９内を左側Ｘ１へ進んでから第２ダクト５０内を流れ、いずれかの流出口５２から内部空間３へ流出する。これにより、流路４１と内部空間３との間で循環する空気の流れが発生する（図２における太い破線矢印を参照）。
【００４４】
浄化運転中において、オゾン発生装置４３では、放電基板６１から放電管６２に高電圧が印加され、放電管６２の内部で放電が生じる（図４参照）。供給路４４では、内部空間３に露出された取込口４４Ｃから内部空間３の空気が取り込まれ、この空気は、供給路４４の一端部４４Ａから、オゾン発生装置４３のケース６０の右側部分６５の内部空間６５Ａに供給される。内部空間６５Ａに供給された空気は、内部空間６５Ａに収容された放電管６２の入口６２Ａから放電管６２内に流入し、放電管６２の出口部材６２Ｂへ向けて流れる（図４参照）。その際、高電圧が印加された放電管６２内で生じる放電によって、放電管６２を流れる空気からオゾンが発生する。このようにオゾン発生装置４３が発生させたオゾンは、出口部材６２Ｂから導入路４５を流れた後に、導入路４５の他端部４５Ｂにおける取出口４５Ｃから流路４１に導かれる。この際、導入路４５内のオゾンは、流路４１における空気の流れに引き寄せられることによって、流路４１へ積極的に導かれる。流路４１に到達したオゾンは、流路４１を流れる空気に乗って流路４１の流出口５２から内部空間３へ流出した後に、内部空間３内の物品Ｐに浴びせられる。これにより、物品Ｐがオゾンによって浄化される。
【００４５】
ボックス部２の内部空間３におけるオゾンの濃度が高いほど、オゾンによる物品Ｐの浄化が促進されるので、浄化装置１における浄化性能を向上できる。特に、この浄化装置１の浄化運転では、内部空間３に収容された物品Ｐをオゾンによって３０分〜１時間程度の比較的短時間で浄化することが想定されるので、オゾンの濃度が高いほど好ましい。なお、浄化運転中の内部空間３は、前述したようにパッキン２２およびパッキン３５によって密閉されるともに、ロック解除機構２３のロック部２５がロック位置にあることによってボックス部２が閉じた状態が維持されるので、オゾンがボックス部２の外に漏れることが防止される。なお、以下では、３０分間の浄化運転を前提として説明するが、この場合の浄化運転は、たとえばお出かけ前に気付いた嫌な臭いを消すためなどに実施される。
【００４６】
図６は、オゾン発生装置４３に接続された供給路４４と、オゾン発生装置４３が発生させたオゾンの濃度の経時変化との関係を示すグラフである。図６のグラフでは、横軸が、浄化運転の開始からの経過時間を示し、縦軸が、浄化運転中の内部空間３におけるオゾンの濃度を示す。経過時間の単位は、分であり、オゾンの濃度の単位は、ｐｐｍである。
【００４７】
浄化ユニット４では、オゾン発生装置４３において高電圧が発生するので、少なくともオゾン発生装置４３は、使用者が触れることができないようにカバー４０で覆われる必要がある。また、オゾン発生装置４３がカバー４０の外に配置されると、内部空間３において物品Ｐを収容するスペースが狭くなるので、オゾン発生装置４３をカバー４０の中に配置する方がよい。
【００４８】
ここで、供給路４４の取込口４４Ｃ（図５参照）がカバー４０内に配置されて内部空間３に露出されない第１比較例を検討する。第１比較例における取込口４４Ｃの位置以外の構成は、本実施形態と同じである。第１比較例の場合には、空気の流れがないカバー４０内に位置する取込口４４Ｃからカバー４０の外の空気を積極的に取り込んでオゾン発生装置４３に供給することが困難なので、図６の太い破線で示すように、浄化運転中におけるオゾンの濃度が１５ｐｐｍ程度しか増加しない。
【００４９】
一方、本実施形態では、取込口４４Ｃが、前述したように、カバー４０の外でボックス部２の内部空間３に露出されるので、流路４１と内部空間３との間で循環する空気の流れに晒される。これにより、供給路４４は、内部空間３を流れる空気を取込口４４Ｃから強制的に取り込むことによってオゾン発生装置４３への空気の供給を促進できる。そのため、オゾン発生装置４３は、多くのオゾンを発生させることができるので、本実施形態では、図６の太い実線で示すように、浄化運転中における内部空間３のオゾンの濃度を２５ｐｐｍ程度まで高めて浄化性能の向上を図れる。なお、取込口４４Ｃは、見栄えなどの都合上、内部空間３においてなるべく目立たない位置、たとえば、カバー４０と第１ボディ１５におけるヒンジ３４側の長側板１８Ａとの間（図２参照）に配置されるとよい。
【００５０】
図７は、オゾン発生装置４３に接続された導入路４５と、オゾン発生装置４３が発生させたオゾンの濃度の経時変化との関係を示すグラフである。図７のグラフでは、横軸が、浄化運転の開始からの経過時間を示し、縦軸が、浄化運転中の内部空間３におけるオゾンの濃度を示す。経過時間の単位は、分であり、オゾンの濃度の単位は、ｐｐｍである。
【００５１】
導入路４５の他端部４５Ｂが流路４１において回転羽根７１の周囲の領域Ａ（図５参照）に接続される第２比較例を検討する。第２比較例における他端部４５Ｂの位置以外の構成は、本実施形態と同じである。第２比較例の場合には、他端部４５Ｂから流路４１の領域Ａに導かれたオゾンの一部が、内部空間３へ流出するまでに、回転する回転羽根７１によって分解されてしまうので、図７の太い破線で示すように、浄化運転中におけるオゾンの濃度が１０ｐｐｍ程度しか増加しない。
【００５２】
一方、本実施形態では、導入路４５の他端部４５Ｂは、前述したように第２ダクト５０の本体部５０Ａに接続されるので、流路４１において回転羽根７１よりも流出口５２側、つまり流路４１での空気の流れにおける下流側の領域Ｂに接続される（図５参照）。これにより、導入路４５によって流路４１に導かれたオゾンを、回転する回転羽根７１によって分解されることなく、流出口５２から内部空間３に流出させることができる。そのため、本実施形態では、図７の太い実線で示すように、運転中における内部空間３のオゾンの濃度を２５ｐｐｍ程度まで高めることができるので、浄化性能の一層の向上を図れる。
【００５３】
このように第１比較例および第２比較例のそれぞれと本実施形態とを比べればわかるように、オゾン発生装置４３が同じでも、供給路４４の取込口４４Ｃや導入路４５の他端部４５Ｂの位置を工夫することによって、浄化運転中におけるオゾンの濃度を飛躍的に高めることができる。なお、前述した３０分間の浄化運転の終盤、たとえば浄化運転開始から２０分が経過したときには、オゾン発生装置４３が停止されるものの、ファン４６の回転は継続される。これにより、ボックス部２内のオゾンは、自然消滅するだけでなく、ファン４６の回転する回転羽根７１によって強制的に分解される。そのため、浄化運転の終了後には、ボックス部２内のオゾンはほとんど存在しない。浄化運転の終了後には、前述した制御部（図示せず）によって、ロック解除機構２３のロック部２５がロック位置から解除位置に切り替えられるので、使用者は、ボックス部２を開いて、浄化後の物品Ｐを取り出すことができる。
【００５４】
図８は、倒れて開いて物品Ｐがセットされた状態における浄化装置１の斜視図である。物品Ｐは、図８における一足の靴のように複数存在する場合がある。このような場合でも、流路４１からオゾンを流出させる流出口５２が複数設けられることから、複数の物品Ｐのそれぞれに、対応する流出口５２からオゾンを浴びせることができるので、これらの物品Ｐを一度に浄化できる。
【００５５】
ただし、流出口５２の位置が固定された状態では、物品Ｐの大きさや形状の都合上、図８のように内部空間３において流出口５２の先に物品Ｐを配置できない場合がある。そこで、浄化装置１は、流路４１における２つの流出口５２に１つずつ接続されるホース７５を含む。図８の場合、ホース７５は、２つ存在する。それぞれのホース７５は、たとえば蛇腹ホースのように、可撓性および伸縮性を有する。それぞれのホース７５では、一端部７５Ａが、第２ダクト５０において流出口５２が形成された分岐部５０Ｂに対して外嵌される。これらのホース７５を撓ませたり伸縮させたりすることによってホース７５の他端部７５Ｂを物品Ｐに向け、流出口５２からのオゾンを他端部７５Ｂから物品Ｐに直接浴びせることができる。特に、物品Ｐが、靴や鞄のように奥まった内部を有する場合には、他端部７５Ｂを物品Ｐの内部に挿入することによって、物品Ｐの内部にまでオゾンを浴びせることができる。なお、流出口５２の数は、２つとは限らず、３つ以上であってもよい。
【００５６】
この発明は、以上に説明した実施形態に限定されるものではなく、請求項に記載の範囲内において種々の変更が可能である。
【００５７】
たとえば、前述した浄化装置１は、取っ手５やキャスタ６を備えることによって持ち運びが可能であったが、持ち運びを考慮しないのであれば、たとえば室内の所定の位置に据え置かれてもよい。
【００５８】
また、供給路４４の一端部４４Ａは、ケース６０の隙間６８に差し込まれることによって、ケース６０の右側部分６５の内部空間６５Ａに配置される（図４参照）。これに代え、一端部４４Ａが、右側部分６５を貫通して、内部空間６５Ａ内の放電管６２の入口６２Ａに対して直接接続されてもよい。この場合には、隙間６８を塞いでもよい。
【符号の説明】
【００５９】
１      浄化装置
２      ボックス部
３      内部空間
４      浄化ユニット
５      取っ手
６      キャスタ
４０    カバー
４１    流路
４３    オゾン発生装置
４４    供給路
４４Ｃ  取込口
４５    導入路
４６    ファン
５１    流入口
５２    流出口
７１    回転羽根
７５    ホース
Ｂ      領域
Ｐ      物品
【図１】
2017064260.tif 000003
【図２】
2017064260.tif 000004
【図３】
2017064260.tif 000005
【図４】
2017064260.tif 000006
【図５】
2017064260.tif 000007
【図６】
2017064260.tif 000008
【図７】
2017064260.tif 000009
【図８】
2017064260.tif 000010